【手続補正書】
【提出日】平成24年12月14日(2012.12.14)
【手続補正１】
【補正対象書類名】明細書
【補正対象項目名】００１６
【補正方法】変更
【補正の内容】
【００１６】
この発明は、上述した事情に鑑みてなされたものであって、投射画面の大画面化を図りつつ、投射装置外の投影空間を縮小するために、反射面を含む結像光学系を採用しつつ、色収差も補正可能で、大画面を投射可能な投射光学系を課題とする。
【手続補正２】
【補正対象書類名】明細書
【補正対象項目名】００１８
【補正方法】変更
【補正の内容】
【００１８】
即ち、請求項１の投射光学系は「ライトバルブの投影側に、前記ライトバルブの側から第１、第２の順に配設される第１及び第２の光学系を有し、前記第１の光学系は互いに偏芯していない複数のレンズからなる屈折光学系を含み、正のパワーを有し、前記第２の光学系は正のパワーを有する反射面を含み、正のパワーを有し、前記ライトバルブにより形成された画像を光路上に中間像として結像させ、前記中間像として結像した後の光束を前記反射面で反射し、最終像として前記投影面に投射し、前記ライトバルブに形成された画像の中心から生じた結像光束が、該結像光束を前記ライトバルブから前記最終像まで含む断面に平行な平面上から見て、前記第１の光学系内および前記正のパワーを有する反射面と前記最終像との間で、前記ライトバルブから前記第２の光学系の最終面までの間における前記複数のレンズで一致する光軸と交差し、前記最終像のおよそ中心に入射する」ことを特徴とする。
【手続補正３】
【補正対象書類名】明細書
【補正対象項目名】００１９
【補正方法】変更
【補正の内容】
【００１９】
請求項２記載の投射光学系は「ライトバルブの投影側に、前記ライトバルブの側から第１、第２の順に配設される第１及び第２の光学系を有し、前記第１の光学系は互いに偏芯していない複数のレンズからなる屈折光学系を含み、正のパワーを有し、前記第２の光学系は正のパワーを有する反射面を含み、正のパワーを有し、前記ライトバルブにより形成された画像を光路上に中間像として結像させ、前記中間像として結像した後の光束を前記反射面で反射し、最終像として前記投影面に投射し、前記ライトバルブに形成された画像の中心から生じた結像光束が、前記正のパワーを有する反射面に反射される前後の前記結像光束を含む断面に平行な平面上から見て、前記第１の光学系内および前記正のパワーを有する反射面と前記最終像との間で、前記ライトバルブから前記第２の光学系の最終面までの間における前記複数のレンズで一致する光軸と交差し、前記最終像のおよそ中心に入射する」ことを特徴とする投射光学系。
請求項３記載の投射光学系は「ライトバルブの投影側に、前記ライトバルブの側から第１、第２の順に配設される第１及び第２の光学系を有し、前記第１の光学系は互いに偏芯していない複数のレンズからなる屈折光学系を含み、正のパワーを有し、前記第２の光学系は、前記ライトバルブの投影側に、ライトバルブの側から、第１の反射面と、正のパワーを有する第２の反射面を順に含み、正のパワーを有し、前記ライトバルブに形成された画像を光路上に中間像として結像させ、前記中間像として結像した後の光束を前記反射面で反射し、最終像として前記投影面に投射し、前記ライトバルブに形成された画像の中心から生じた結像光束が、前記第１の反射面に反射される前後の前記結像光束を含む断面に平行な平面上から見て、前記第１の光学系内で、前記複数のレンズで一致する光軸と交差し、前記第２の反射面に反射される前後の前記結像光束を含む断面に平行な平面上から見て、前記第２反射面と前記最終像との間で、前記ライトバルブから前記第２の光学系の最終面までの間における前記複数のレンズで一致する光軸と交差し、前記最終像のおよそ中心に入射する」ことを特徴とする。
中間像の形状は「最終像の台形歪みが小さくなるような形状」であることができ、「最終像の台形歪みに対して逆に歪んだ形状の中間像を形成」するように構成することができる。中間像は「投影面への入射角が最も大きい辺が最も短い」形状であることができる。
【手続補正４】
【補正対象書類名】明細書
【補正対象項目名】００２３
【補正方法】変更
【補正の内容】
【００２３】
「画像形成するライトバルブに、光源からの照明光を照射し、ライトバルブに形成された画像を、投射光学系により拡大投射する画像投射装置」において、ライトバルブに形成された画像を拡大投影する投射光学系として請求項１または２または３記載のものを用いることができる。
【手続補正５】
【補正対象書類名】明細書
【補正対象項目名】００９３
【補正方法】変更
【補正の内容】
【００９３】
この発明の投射光学系は、ライトバルブの投影側に、前記ライトバルブの側から第１、第２の順に配設される第１及び第２の光学系を有し、前記第１の光学系は互いに偏芯していない複数のレンズからなる屈折光学系を含み、正のパワーを有し、前記第２の光学系は正のパワーを有する反射面を含み、正のパワーを有し、前記ライトバルブにより形成された画像を光路上に中間像として結像させ、前記中間像として結像した後の光束を前記反射面で反射することで前記中間像をさらに拡大し、最終像として前記投影面に投射するので、大きな投射倍率を実現でき、第１の光学系が複数のレンズで構成されるので、色合成プリズムを用いた場合においても色分散特性を利用して色収差補正が可能であり、結像光束の光路を第２の光学系に含まれる反射面で折り返すのでコンパクトに構成できる。
【手続補正６】
【補正対象書類名】特許請求の範囲
【補正対象項目名】全文
【補正方法】変更
【補正の内容】
【特許請求の範囲】
【請求項１】
ライトバルブに形成された画像を投影面に拡大投影する投射光学系であって、
ライトバルブの投影側に、前記ライトバルブの側から第１、第２の順に配設される第１及び第２の光学系を有し、
前記第１の光学系は互いに偏芯していない複数のレンズからなる屈折光学系を含み、正のパワーを有し、
前記第２の光学系は正のパワーを有する反射面を含み、正のパワーを有し、
前記ライトバルブにより形成された画像を光路上に中間像として結像させ、前記中間像として結像した後の光束を前記反射面で反射し、最終像として前記投影面に投射し、
前記ライトバルブに形成された画像の中心から生じた結像光束が、該結像光束を前記ライトバルブから前記最終像まで含む断面に平行な平面上から見て、前記第１の光学系内および前記正のパワーを有する反射面と前記最終像との間で、前記ライトバルブから前記第２の光学系の最終面までの間における前記複数のレンズで一致する光軸と交差し、前記最終像のおよそ中心に入射することを特徴とする投射光学系。
【請求項２】
ライトバルブに形成された画像を投影面に拡大投影する投射光学系であって、
ライトバルブの投影側に、前記ライトバルブの側から第１、第２の順に配設される第１及び第２の光学系を有し、
前記第１の光学系は互いに偏芯していない複数のレンズからなる屈折光学系を含み、正のパワーを有し、
前記第２の光学系は正のパワーを有する反射面を含み、正のパワーを有し、
前記ライトバルブにより形成された画像を光路上に中間像として結像させ、前記中間像として結像した後の光束を前記反射面で反射し、最終像として前記投影面に投射し、
前記ライトバルブに形成された画像の中心から生じた結像光束が、前記正のパワーを有する反射面に反射される前後の前記結像光束を含む断面に平行な平面上から見て、前記第１の光学系内および前記正のパワーを有する反射面と前記最終像との間で、前記ライトバルブから前記第２の光学系の最終面までの間における前記複数のレンズで一致する光軸と交差し、前記最終像のおよそ中心に入射することを特徴とする投射光学系。
【請求項３】
ライトバルブに形成された画像を投影面に拡大投影する投射光学系であって、
ライトバルブの投影側に、前記ライトバルブの側から第１、第２の順に配設される第１及び第２の光学系を有し、
前記第１の光学系は互いに偏芯していない複数のレンズからなる屈折光学系を含み、正のパワーを有し、
前記第２の光学系は、前記ライトバルブの投影側に、ライトバルブの側から、第１の反射面と、正のパワーを有する第２の反射面を順に含み、正のパワーを有し、
前記ライトバルブに形成された画像を光路上に中間像として結像させ、前記中間像として結像した後の光束を前記反射面で反射し、最終像として前記投影面に投射し、
前記ライトバルブに形成された画像の中心から生じた結像光束が、前記第１の反射面に反射される前後の前記結像光束を含む断面に平行な平面上から見て、前記第１の光学系内で、前記複数のレンズで一致する光軸と交差し、前記第２の反射面に反射される前後の前記結像光束を含む断面に平行な平面上から見て、前記第２反射面と前記最終像との間で、前記ライトバルブから前記第２の光学系の最終面までの間における前記複数のレンズで一致する光軸と交差し、前記最終像のおよそ中心に入射することを特徴とする投射光学系。